(57)【要約】本発明は筆記具に関するもので、筆記具の側面に位置した複数個のボタンに連動する部材の構造を改善し、前記部材の材質選定に制限を受けないようにする一方、前記部材の射出成形性を良好にする一方、使用者が筆記具を把持した状態で指で筆記具を容易に操作することができるようにするために、本発明の筆記具は筆記芯を露出させるための穴が形成された先端部と複数個の開口が形成された把持部(13)を含む長い外筒(1)と、外筒(1)の把持部(13)に形成された複数個の開口にそれぞれ一部が位置し、その残りの部分は外筒(1)の内部に位置する複数個のボタン(15)と、外筒(1)の内部に収納されてボタン(15)を押す時にボタン(15)に接触する複数個の傾斜面(17)が備えられ、各ボタンのうちのいずれか一つを下に押す時に外筒(1)内で前進しながらその内部に格納された筆記芯を外筒(1)の先端部から露出させる内側容器(3)とを含み、内側容器(3)の各傾斜面(17)は内側容器(3)の周方向に互いに所定の角度で離隔され、内側容器(3)の軸方向に互いに異なった位置にある構成を有する。
2004529021.tif 000002
【特許請求の範囲】
【請求項１】
筆記芯を露出させるための穴が形成された先端部と複数個の開口が形成された把持部とを含む長い外筒と、
前記外筒の把持部に形成された複数個の開口にそれぞれ一部が位置し、その残りの部分は前記外筒の内部に位置する複数個のボタンと、
前記外筒の内部に収納されて前記ボタンを押す時に前記ボタンに接触する複数個の傾斜面が備えられて前記ボタンのうちのいずれか一つを下に押す時に前記外筒内で前進しながらその内部に格納された筆記芯を前記外筒の先端部から露出させる内側容器とを含み、
前記内側容器の各傾斜面は前記内側容器の周方向に互いに所定の角度に離隔され、前記内側容器の軸方向に位置されることを特徴とする筆記具。
【請求項２】
第1項において、前記傾斜面は内側容器の周方向に110゜〜165゜の角度で互いに離隔されたことを特徴とする筆記具。
【請求項３】
第1項において、前記傾斜面は内側容器の軸線に対して20゜〜35゜に傾斜したことを特徴とする筆記具。
【請求項４】
第1項〜第3項のうちのいずれか一項において、前記複数個のボタンは前記外筒の周方向に互いに所定の角度で離隔され、前記外筒の軸方向に互いに異なった位置にあり、前記外筒を把持する時に相違した指がそれぞれ前記ボタンにそれぞれ接触するように構成されたことを特徴とする筆記具。
【請求項５】
第1項において、前記外筒の把持部の外面を覆う弾性部材をさらに含んで前記弾性部材は前記各開口上に延びることを特徴とする筆記具。
【発明の詳細な説明】
【技術分野】
【０００１】
本発明は、筆記具に関するものであり、より詳細には使用者が筆記しようとする時に把持した状態で指の操作だけでも簡単に内筒に内蔵された筆記芯を外部に露出させて使用ができるようにした筆記具に関するものである。
【背景技術】
【０００２】
一般的に、使用者の筆記具の操作性を向上させるために筆記具の側面に押圧ボタンを設置して使用者が把持した状態で前記ボタンを指で加圧することで筆記具に内蔵された筆記芯が外部に露出するようにする形態の筆記具が多様に開発されてきた。
【０００３】
このような筆記具は筆記芯の露出のために筆記芯を導出させる手段を備えている。その一例として、押圧ボタンを押せば押圧ボタンの端部に形成された加圧片が筆記芯を内蔵する内側容器の傾斜面を押さえ、この傾斜面に沿って押す力により内側容器が相対的に前進するようになっている。
【０００４】
一方、最近には筆記具の操作性を向上させるために筆記具の側面に2つ以上の押圧ボタンを設置して使用者が筆記具を把持した状態で、あるボタンを押せば筆記具の筆記芯を外部に導出させる技術が開発されている。
【０００５】
図7はこのような技術中のその一例として、示した従来の筆記具の内部構造図である。示されたものによれば、外筒(51)の側面には筆記具が把持される時に下に押される2つの押圧ボタン(53)が外筒(51)の軸線に対して互いに対称するように設置されている。外筒(51)内には押圧ボタン(53)により筆記芯(55)が外部に導出されるように前方に前進する内側容器(57)が備えられている。内側容器(57)は傾斜面(59)を形成する円錐形部分を有し、この傾斜面(59)に押圧ボタン(53)の加圧端部(53b)が接触する。押圧ボタン(53)を押すと、加圧端部(53b)が傾斜面(59)を加圧接触しながら傾斜面(59)に沿って下降し、これにより内側容器(57)は前進運動して筆記芯(55)が外部に導出される。
【０００６】
しかし、前記技術構成によれば、内側容器(57)の傾斜面(59)を形成する部分が内側容器(57)の軸線に対して互いに対称である円錐形であるので、内側容器(57)は示された通り傾斜面(59)が終わる部分でその外径が急激に狭くなった部分(61)を有する。
【０００７】
特に、導出される筆記芯(55)の長さを長くするために内側容器(57)の軸線に対する傾斜面(59)の傾斜角を一定に維持した状態でその長さを延ばそうとする場合、前記狭小部分(61)はその外径がより小さくなることになる。
【０００８】
このような狭小部分(61)を有する内側容器(57)は、外部からの衝撃や傾斜面(59)に繰り返される押圧ボタン(53)の加圧端部(53a)の加圧力による内的疲労の蓄積により容易に折れる危険がある。従って、これを防止するためには内側容器(57)の材質を選択するにおいて、特に相当な剛性を有する材質のみを選択するべきなので、材質選定に制限を受ける問題点が発生した。
【０００９】
また、内側容器(57)は他の部分に比べて外径が相対的に非常に小さい狭小部分(61)を有することにより示された通りその側部が細くなる形状を有する。このように断面積の変化が甚だしい形状の樹脂製品を射出成形する場合には、金型内溶融樹脂物の流動が円滑になされずに射出成形性が低下する問題点が発生した。
【００１０】
一方、従来の技術構成によれば、ボタン(53)は外筒(51)の外面に軸方向に同一位置で互いに並列に配列されるので、ボタン(53)の数が多くなる場合、外筒(51)でボタン(53)が位置する開口(63)の間に形成される外筒(51)部分の幅が狭くなり外筒(51)が構造的に脆弱になりえる。また、使用者が上述した通り配列されたボタン(53)を指で押す場合に、例えば、親指、人差し指、中指などの指の長さが互いに異なって各指の位置を変えずに把持した状態で各ボタン(53)を押すには不便な点があった。
【発明の開示】
【課題を解決するための手段】
【００１１】
これにより、本発明は前記の問題点を解決するために案出されたものであり、筆記具の側面に位置した複数個のボタンに連動する部材の構造を改善して前記部材の材質選定に制限を受けないようにする一方、前記部材の射出成形性を良好にして耐久性及び生産性を向上させた筆記具を提供することにその目的がある。
【００１２】
本発明の他の目的は使用者が筆記具を把持した状態で、指で筆記具を容易に操作することができるようにするものである。
【００１３】
前記目的を達成するために本発明の筆記具は、筆記芯を露出させるための穴が形成された先端部と複数個の開口が形成された把持部を含む長い外筒と、前記外筒の把持部に形成された複数個の開口にそれぞれ一部が位置し、その残りの部分は前記外筒の内部に位置する複数個のボタンと、前記外筒の内部に収納されて前記ボタンを押す時に前記ボタンに接触される複数個の傾斜面が備えられ、前記ボタンのうちのいずれか一つを下に押す時に前記外筒内で前進しながらその内部に格納された筆記芯を前記外筒の先端部から露出させる内側容器を含み、前記内側容器の各傾斜面は前記内側容器の周方向に互いに所定の角度に離隔されて前記内側容器の軸方向に互いに異なった位置にあることを特徴とする。
【００１４】
望ましくは、前記傾斜面は内側容器の周方向に110゜〜165゜の角度に互いに離隔され、内側容器の軸線に対して20゜〜35゜に傾斜される。
【００１５】
前記複数個のボタンは前記外筒の周方向に互いに所定の角度に離隔され、前記外筒の軸方向に互いに異なった位置にあり、前記外筒を把持する時に異なった指がそれぞれ前記ボタンにそれぞれ接触するように構成されている。
【００１６】
また、本発明の筆記具は前記外筒の把持部の外面を覆う弾性部材をさらに含んで、前記弾性部材は前記各開口上に延びる。
【発明を実施するための最良の形態】
【００１７】
以下に添付された図面を参照し、本発明の実施例を詳細に説明する。
【００１８】
図1は本発明による筆記具の一実施例を示した内部構造図である。図1を参照すれば、長い外筒(1)と、外筒(1)の内部に収納されて筆記芯(5)を格納して外筒(1)の外部に導出させる内側容器(3)を備えた筆記具が示されている。
【００１９】
外筒(1)は筆記芯(5)を露出させるための穴(7)が形成された先端部(9)と複数個の開口(11)が形成された把持部(13)を含む。把持部(13)に形成された複数個の開口(11)のそれぞれにはボタン(15)がそれぞれ位置する。
【００２０】
ボタン(15)はその一部が開口(11)を通じてその一部が外筒(1)の外部に突出しており、その残りの部分は外筒(1)の内部に位置する。ボタン(15)は示された通り、その一端部(15a)が外筒(1)の開口(11)の端部に形成された凹溝(1a)に嵌められることにより外筒(1)に装着される。他の例として、ボタン(15)はその一端部(15a)が外筒(1)と一体に形成された状態で外筒(1)の一部分として構成されることができる。もう一つの例として、ボタン(15)は外筒(1)にその一端部(15a)が固定される構成に限定されず、外筒(1)と連結されない独立的な部品として構成されることもできる。
【００２１】
内側容器(3)はボタン(15)を押す時にボタン(15)の端部(15b)に接触する複数個の傾斜面(17)を備えることによって、ボタン(15)のうちのいずれか一つを下に押す時に外筒(1)内で前進しながらその内部に格納された筆記芯(5)を外筒(1)の先端部(9)から露出させる。
【００２２】
傾斜面(17)は内側容器(3)の軸線に対して所定の角度(α)、望ましくは約20゜〜35゜の角度に傾斜され得る。前記範囲の角度はボタン(15)を1回押す時に内側容器(3)の前進移動長、即ち、筆記芯(5)が先端部(7)から露出される長さと外筒(1)の直径を考慮して適切に設定されたものである。
【００２３】
即ち、傾斜面(17)の傾斜角が前記傾斜角度(α)より小さかったり大きくなる場合、内側容器(3)の前進移動長がさらに長くなったり短くなりながら筆記芯(5)の露出長もさらに長くなったり短くなる。このような場合に、筆記芯(5)はその露出長があまりにも長くなって筆記中に折れやすい一方、その露出長があまりにも短くなって筆記中にボタン(15)を数回押さなければならない不便さがある。
【００２４】
また、内側容器(3)の前進移動長を望ましい長さに一定に維持しながら、傾斜面(17)の傾斜角が前記傾斜角度(α)より小さかったり大きくなる場合、傾斜面(17)に対する垂直方向成分の長さ、即ち内側容器(3)の横断方向長が短くなったり長くなり、内側容器(3)の直径も小さくなったり大きくなる。このような場合に、内側容器(3)の直径が小さくなったり大きくなることに応じて内側容器(3)を収納する外筒(1)の直径も小さくなり、また大きくなって、使用者がこのような外筒(1)を把持して筆記する場合、不便であった。
【００２５】
各傾斜面(17)は図2Aに示された通り、内側容器(3)の周方向に所定の角度(β)、望ましくは約110゜〜165゜の角度に互いに離隔され、内側容器(3)の軸方向に互いに異なった位置にある。前記範囲の角度は使用者が通常筆記具を把持する時に各指が筆記具の外面に接触する各部分間の角度を考慮して設定されたものである。即ち、各傾斜面(17)間の角度が前記角度(β)の範囲を逸脱する場合、後述する通り外筒(3)の周方向に各ボタン(15)間の間隔もあまりにも狭くなったり広くなり、使用者が筆記具を把持した状態で指で自然にボタン(3)を操作するには不便であった。
【００２６】
図2Bは図2の線B-Bに沿って取った断面図である。示された断面形状は内側容器(3)の軸方向に傾斜面(17)に沿って形成されて各傾斜面(17)の間の角度(β)にずれた側面(3a)が上下側にそれぞれ形成された4角形断面である。このような断面形状は一般に上下側面が平行な4角形、例えば平行四辺形の断面形状に比べて構造工学的にさらに補強された構造を有することで外力により曲がることを効果的に防止することができる。
【００２７】
図3は図1に示された筆記具の外観図である。外筒(3)におけるボタン(15)の位置は内側容器(3)での傾斜面(17)の位置と互いに対応する。即ち、内側容器(3)での傾斜面(17)の形成位置と同様にボタン(15)も図4に示された通り外筒(1)の周方向に所定角度(α)に互いに離隔されて外筒(1)の軸方向に相違した位置にある。
【００２８】
図1及び図5を参照し、本発明による筆記具の作動状態を説明する。
【００２９】
図1で示された通り、筆記芯(5)が内側容器(3)の内部にある状態で、使用者が外筒(1)を把持しながらボタン(15)に接触する少なくともある一指で各ボタン(15)の中から少なくとも一つを押すと、そのボタン(15)の先端部(15b)は開口(11)から下に旋回しながら内側容器(3)の傾斜面(17)に接触する。ここで、さらにボタン(15)に押される力が加われば、ボタン(15)の先端部(15b)は傾斜面(17)を加圧接触しながら下降旋回し、これにより内側容器(3)は前進運動をする。
【００３０】
図5はボタン(15)を押す動作が完了した状態を示したもので、ボタン(15)の先端部(15b)は内側容器(3)の傾斜面(17)の下段部分に位置し、筆記芯(5)の先端部は外筒(1)の先端部(1)の外に出ている。この時、使用者が押している指の力をボタン(15)から除去すれば、筆記芯(5)が外部に露出された状態で収縮したスプリング(18)の伸長によって内側容器(3)は後退してボタン(15)は上方旋回して図1に示された通り、次のボタン押圧動作のために待機状態になることになる。
【００３１】
従って、以上説明した本発明の筆記具によれば、本発明の内側容器(3)は上述した通り互いにずれた位置にある傾斜面(17)を備えており、従来の内側容器で見ることができる狭い狭小部分を有しない。即ち、内側容器(3)に傾斜面(17)が形成された範囲内の任意の位置で内側容器(3)の軸線方向に対する断面積の変化率が緩やかだ。従って、このような傾斜構造を有する内側容器(3)を射出成形する場合には、金型内溶融樹脂物の流動が円滑になされて射出成形性が優れ、これにより所定の設計寸法を有する射出成形物を容易に取得することができる。
【００３２】
併せて、本発明の内側容器(3)は所定の設計寸法通りに射出成形できるので、内側容器(3)の構造的脆弱による剛性を補強する必要が全くなく、従って、このような補強性を考慮して内側容器(3)の材質を選定する必要がない。
【００３３】
また、本発明の筆記具によれば、筆記具を把持した状態でボタン(15)に接触する指で各ボタン(15)のうちのいずれか一つを押しても筆記芯(5)を外筒(3)から容易に導出させることができる。即ち、図3及び図4に示された通り、ボタン(15)は外筒(3)に対して互いにずれた位置にあるので、通常、使用者が筆記具を把持する時に少なくとも2つの指、例えば、中指と人差し指、人差し指と親指または親指と中指が2つのボタン(15)に自然に接触できる利点がある。これは使用者にとって筆記具を把持した状態で指の位置を変えずにもボタン(15)を容易に操作することができるようにする。
【００３４】
一方、図6は図1に示された筆記具に把持部(13)を覆った弾性部材(19)をさらに追加した状態を示した断面図である。弾性部材(19)は両端部が開放された管形状の部材として外筒(1)の把持部(13)の外面を覆い、把持部(13)に形成された開口(11)上に延びる。弾性部材(19)の材質としてはシリコン、ゴムなどの弾性を有する合成樹脂が望ましい。
【００３５】
望ましくは、弾性部材(19)は外筒(1)の把持部(13)の周方向に形成される溝(21)の中に位置され得る。弾性部材(19)の内面(19a)には外筒(1)の外部に突出するボタン(15)の一部を収容する複数個の溝(19b)が形成されている。ホーム(19b)は前記突出するボタン(15)の一部を収容することで、ボタン(15)上に弾性部材(19)が覆われてもボタン(15)が弾性部材(19)の弾力により押さえられないようにする。弾性部材(19)の外面(19c)には、使用者が弾性部材(19)により隠蔽されたボタン(15)の位置を容易に認知することができるようにボタン押圧表示部(23)が形成されている。ボタン押圧表示部(23)は弾性部材(19)の溝(19b)に対応する位置に図示されたような突起形状以外にシルク印刷等で表示され得る。
【００３６】
前記構成により、弾性部材(19)はボタン(5)と開口(11)の間に形成されたスキ間を密閉させることで前記スキ間に外部から異質物が侵入することを防止してボタン(5)などが前記異質物により誤作動しないようにする。また、使用者は筆記具の弾性部材(13)を把持する時に弾性部材(13)から弾力を感知するようになり、より安楽な把持感を感じながら筆記することができる。
【００３７】
以上で説明した本発明は、その思想または主要な特徴から逸脱することなしに、他の様々な形態で実施することができる。従って、前記実施例は全ての点で単純な例示に過ぎず、限定的に解釈されてはならない。
【図面の簡単な説明】
【００３８】
【図１】本発明による筆記具の一実施例を示した内部構造図である。
【図２Ａ】図1の線A-Aに沿った内側容器の断面図である。
【図２Ｂ】図1の線B-Bに沿った内側容器の断面図である。
【図３】図1に示された筆記具の外観図である。
【図４】図3の線C-Cに沿った外筒の断面図である。
【図５】図1に示された筆記具のボタンを押す時の内部構造を示した断面図である。
【図６】図1に示された筆記具の把持部を覆う弾性部材が装着された状態を示した断面図である。
【図７】従来の技術による筆記具の一実施例を示した内部構造図である。
【国際公開パンフレット】
2004529021.tif 000003
2004529021.tif 000004
2004529021.tif 000005
2004529021.tif 000006
2004529021.tif 000007
2004529021.tif 000008
2004529021.tif 000009
2004529021.tif 000010
2004529021.tif 000011
2004529021.tif 000012
2004529021.tif 000013
2004529021.tif 000014
2004529021.tif 000015
2004529021.tif 000016
【手続補正書】
【提出日】平成15年1月17日(2003.1.17)
【手続補正１】
【補正対象書類名】特許請求の範囲
【補正対象項目名】全文
【補正方法】変更
【補正の内容】
【特許請求の範囲】
【請求項１】
筆記芯を露出させるための穴が形成された先端部と複数個の開口が形成された把持部とを含む長い外筒と、
前記外筒の把持部に形成された複数個の開口にそれぞれ一部が位置し、その残りの部分は前記外筒の内部に位置する複数個のボタンと、
前記外筒の内部に収納されて前記ボタンを押す時に前記ボタンに接触する複数個の傾斜面が備えられて前記ボタンのうちのいずれか一つを下に押す時に前記外筒内で前進しながらその内部に格納された筆記芯を前記外筒の先端部から露出させる内側容器とを含み、
前記内側容器の各傾斜面は前記内側容器の周方向に互いに所定の角度に離隔され、前記内側容器の軸方向に互いに異なった位置にあることを特徴とする筆記具。
【請求項２】
第1項において、前記傾斜面は内側容器の周方向に110゜〜165゜の角度で互いに離隔されたことを特徴とする筆記具。
【請求項３】
第1項において、前記傾斜面は内側容器の軸線に対して20゜〜35゜に傾斜したことを特徴とする筆記具。
【請求項４】
第1項〜第3項のうちのいずれか一項において、前記複数個のボタンは前記外筒の周方向に互いに所定の角度で離隔され、前記外筒の軸方向に互いに異なった位置にあり、前記外筒を把持する時に相違した指がそれぞれ前記ボタンにそれぞれ接触するように構成されたことを特徴とする筆記具。
【請求項５】
第1項において、前記外筒の把持部の外面を覆う弾性部材をさらに含んで前記弾性部材は前記各開口上に延びることを特徴とする筆記具。
【国際調査報告】
2004529021.tif 000017
2004529021.tif 000018